(57)【特許請求の範囲】
【請求項１】
装置本体にチャンネル変更指令を入力するための入力手段と、放送局から複数言語の音声信号を伴って発信される符号化されたデジタル放送信号を受信する受信手段と、前記受信手段により受信したデジタル放送信号から映像信号、音声信号及び制御信号を抽出する信号抽出手段と、前記信号抽出手段によって抽出された映像信号に含まれる映像信号を復号して、その復号信号を本装置に接続された映像を表示する表示手段に出力するデジタル復号手段と、前記信号抽出手段によって抽出された制御信号を記憶する記憶手段と、前記表示手段に所定のオンスクリーンディスプレイ（以下、ＯＳＤと記す）表示をさせるＯＳＤ出力手段と、前記音声信号に基いて音声を出力する音声出力手段に出力させる音声信号処理手段と、上記装置の各手段を制御する制御手段とを備え、現在、音声出力手段から出力している放送言語に関する情報をＯＳＤ表示させる放送言語表示機能を有する放送受信装置において、
前記記憶手段には、放送局から放送される可能性が有る放送言語のうち、主要な1つ又は複数の放送言語とそのＩＤコードが言語データテーブルとして予め記憶されており、
前記言語データテーブルの中からユーザにより所望の放送言語が選択され、
前記制御手段は、前記信号抽出手段が抽出した制御信号を解析して得られたＶＣＴ（Virtual Channel Table）を参照することにより、前記受信手段で受信した放送信号に含まれる放送言語のＩＤコードを取得し、
前記音声出力手段から出力させている放送言語のＩＤコードを、ユーザによって選択された前記放送言語のＩＤコードの中から検索し、このＩＤコードが存在する場合は、該当する放送言語によって音声出力している旨のＯＳＤ表示を前記表示手段に出力させ、ＩＤコードが存在しない場合は、その他の言語で音声出力している旨のＯＳＤ表示を前記表示手段に出力させることを特徴とする放送言語表示機能を有する放送受信装置。
【発明の詳細な説明】
【０００１】
【発明の属する技術分野】
本発明は、現在出力中の放送言語に関する情報を表示手段にＯＳＤ表示させる放送言語表示機能を有する放送受信装置に関するものである。
【０００２】
【従来の技術】
従来より、複数の言語によるメニュー表示を行うテレビジョン受像機において、所定の特別な指令コードを受けたときは、他のメニューを表示する前に、言語選択メニューを表示するものが知られている（例えば、特開平７−９５４９２号公報参照）。このテレビジョン受像機によれば、ユーザは、メニュー言語の設定を容易に行うことができる。また、映像中にオンスクリーン表示する文字の言語をユーザが選択する映像表示装置において、言語の選択の際に、選択前の言語と選択後の言語をＯＳＤ表示するものが知られている（例えば、特開２０００−２０６９５５号公報参照）。この映像表示装置によれば、ユーザの誤操作によって理解できない言語が表示されたときであっても、選択前の言語の表示により、容易に選択前の状態に復帰することができる。
【０００３】
また、近年、北米においては、放送局からＡＴＳＣ（Advanced Television Systems Committee）に準拠するデジタル放送が配信されている。このデジタル放送を受信して、既存のＮＴＳＣ（National Television Systems Committee）のアナログ放送対応のテレビジョン受像機が受像可能な信号に変換するための放送受信装置（セットトップボックス：以下ＳＴＢと記す）が普及しつつある。このＳＴＢに上記のような機能を持たせることは可能である。
【０００４】
ところで、上記のデジタル放送では、複数の放送言語の音声信号を伴った放送信号が配信されており、ユーザは、この複数の放送言語の中から自身の好みに応じた放送言語を選択して、聴取することができる。そして、ＳＴＢでは、ユーザによる放送言語の選択を容易なものとするため、ユーザが選択した言語に関する情報を映像に付加してＯＳＤ表示する放送言語表示機能を備えたものがある。このようなＳＴＢでは、各放送言語とその放送言語に対応するＩＤコードが言語データテーブルとして予めメモリに記憶されている。そして、ＳＴＢは、放送信号ヲ解析して放送言語ごとに定められたＩＤコードを取得し、上記言語データテーブルを参照することにより、どの放送言語により放送がなされているかを特定し、該当する放送言語を示したＯＳＤ表示を行う。
【０００５】
【発明が解決しようとする課題】
しかしながら、デジタル放送の規格によると１０２種類もの放送言語が定められており、将来さらに追加される可能性もある。これら全ての言語についてＩＤコードと、ＯＳＤ表示の際に映像に付加するために必要な表示データをメモリに記憶させるには、大きな記憶容量を有するメモリが必要となり、装置のコストダウンを妨げる要因となる。また、放送言語の特定は、装置全体の制御を司る制御部が、上記取得したＩＤコードを言語データテーブルの中から検索することによりなされる。このとき、放送言語を特定するためには１０２種類以上のＩＤコードを検索しなければならないことになり、このような場合は、チャンネルを変更してから放送言語がＯＳＤ表示されるまでに時間がかかり、使い勝手が良くない。また、ＩＤコードの検索中は、制御部は他の処理を行えないため、装置の反応速度が一時的に遅くなる可能性がある。
【０００６】
本発明は、上述した問題点を解決するためになされたものであり、低コストで、かつ、チャンネル変更から放送中の放送言語がＯＳＤ表示されるまでの時間を短縮し、ユーザの使い勝手の向上を図ることができる放送言語表示機能を有する放送受信装置を提供することを目的とする。
【０００７】
【課題を解決するための手段】
上記目的を達成するために請求項１の発明は、装置本体にチャンネル変更指令を入力するための入力手段と、放送局から複数言語の音声信号を伴って発信される符号化されたデジタル放送信号を受信する受信手段と、前記受信手段により受信したデジタル放送信号から映像信号、音声信号及び制御信号を抽出する信号抽出手段と、前記信号抽出手段によって抽出された映像信号に含まれる映像信号を復号して、その復号信号を本装置に接続された映像を表示する表示手段に出力するデジタル復号手段と、前記信号抽出手段によって抽出された制御信号を記憶する記憶手段と、前記表示手段に所定のオンスクリーンディスプレイ（以下、ＯＳＤと記す）表示をさせるＯＳＤ出力手段と、前記音声信号に基いて音声を出力する音声出力手段に出力させる音声信号処理手段と、上記装置の各手段を制御する制御手段とを備え、現在、音声出力手段から出力している放送言語に関する情報をＯＳＤ表示させる放送言語表示機能を有する放送受信装置において、前記記憶手段には、放送局から放送される可能性が有る放送言語のうち、主要な1つ又は複数の放送言語とそのＩＤコードが言語データテーブルとして予め記憶されており、前記言語データテーブルの中からユーザにより所望の放送言語が選択され、前記制御手段は、前記信号抽出手段が抽出した制御信号を解析して得られたＶＣＴ（Virtual Channel Table）を参照することにより、前記受信手段で受信した放送信号に含まれる放送言語のＩＤコードを取得し、前記音声出力手段から出力させている放送言語のＩＤコードを、ユーザによって選択された前記放送言語のＩＤコードの中から検索し、このＩＤコードが存在する場合は、該当する放送言語によって音声出力している旨のＯＳＤ表示を前記表示手段に出力させ、ＩＤコードが存在しない場合は、その他の言語で音声出力している旨のＯＳＤ表示を前記表示手段に出力させるものである。
【０００８】
この構成においては、記憶手段には、放送局から発信される頻度の高い主要な放送言語、例えば、英語、フランス語及びスペイン語等とそれらのＩＤコードが言語データテーブルとして記憶されている。制御手段は制御信号を解析して得られたＶＣＴを参照して、放送されている放送言語のＩＤコードを取得する。そして、言語データテーブルを検索して、言語データテーブル内に上記ＶＣＴを参照して取得し音声出力手段から出力させている放送言語のＩＤコードが存在するか否かを判断する。上記出力中のＩＤコードが存在すれば、ＯＳＤ出力手段に指令を出し、該当する放送言語によって音声出力している旨のＯＳＤ表示を行う。上記の例では、表示画面の端に“英語”，“フランス語”，“スペイン語”等をＯＳＤ表示させる。一方、上記出力中のＩＤコードが存在しなければ、ＯＳＤ出力手段に指令を出し、その他の放送言語で音声出力している旨のＯＳＤ表示を行う。このＯＳＤ表示は、表示画面の端に“その他”（ＯＴＨＥＲ）を表示させればよい。このように、記憶手段には主要な放送言語についてのみ記憶させればよいので、記憶手段のデータ記憶領域を少なくすることができる。また、記憶手段に記憶させるＯＳＤ表示を映像に付加するための表示データも少なくすることができる。さらに、記憶手段に記憶させている主要な放送言語についてのみＩＤコードの検索処理を行えばよいので、放送される可能性を有する全ての放送言語について検索処理を実行する場合と比較して、少ない時間で検索することができる。従って、放送言語についてのＯＳＤ表示を迅速に行える。なお、“その他”を表示するときは、ユーザは、どの放送言語によって音声出力されているのかを知ることができない場合もあるが、上述のごとく、放送される頻度が高い主要な放送言語のＩＤコードを言語データテーブルとして記憶すれば、ほとんどの場合はこれらの放送言語が表示されるので、ユーザの使い勝手が悪くなることもない。また、言語データテーブル中の全ての放送言語について検索するのではなく、ユーザに選択された放送言語について検索を行う。従って、ユーザの嗜好に応えつつ、検索に要する時間を短縮することができる。なお、ユーザは、入力手段を用いて放送言語を選択すればよい。
【００１３】
【発明の実施の形態】
以下、本発明を具体化した一実施形態に係るデジタル放送受信装置（セットトップボックス：以下ＳＴＢと記す）について図面を参照して説明する。図１はＳＴＢのブロック構成を示す。ＳＴＢ１は、本体ボタン又はリモコン等の入力装置１１（入力手段）を用いたユーザからの操作入力に応じて、テレビジョン放送局から発信されＡＴＳＣに準拠する符号化されたデジタル放送信号をアンテナ１０により受信し、ＮＴＳＣに準拠した映像信号に変換して表示装置１２（表示手段）に表示させる装置である。デジタル放送では、複数の放送言語の音声信号を伴った放送信号が配信されており、ＳＴＢ１はスピーカ装置１５（音声出力手段）から現在出力している放送言語を表示装置１２にＯＳＤ表示させる機能を有している。
【００１４】
ＳＴＢ１は、例えば、８ＶＳＢ（Vestigial Side Band）の変調方式により送信されるデジタル放送信号を受信するチューナ２（受信手段）と、チューナ２により受信したデジタル放送信号をトランスポートストリーム（Transport Stream：以下、ＴＳと記す）信号に変換するＴＳ変換回路４と、ＴＳ変換回路４が変換したＴＳ信号を解析して映像信号を復号し、表示装置１２に映像を表示させるＴＳ解析回路６と、デジタル放送の各メインチャンネルの発信周波数、放送言語等に関するチャンネル情報を記憶するメモリ７（記憶手段）と、所定の放送言語のデジタル音声信号を抽出し、スピーカ装置１５に音声を出力させる音声出力回路９（音声信号処理回路）と、受信装置各部を制御するＣＰＵからなる制御部８（制御手段）とを備えている。
【００１５】
チューナ２は、アンテナ１０により受信されたデジタル放送信号の供給を受け、ユーザが入力装置１１から制御部８に入力した指令に応じて選局動作を行ない、ユーザが入力したチャンネルに対応する周波数帯域に存在する８ＶＳＢ変調のデジタル放送信号を受信する。ＴＳ変換回路４は、チューナ２が受信した８ＶＳＢ変調の放送信号をＴＳ信号に変換する。
【００１６】
ＴＳ解析回路６は、ＴＳ変換回路４が変換したＴＳ信号を解析し、必要に応じてＯＳＤ表示を付加した映像信号を表示装置１２に出力する。図２は、ＴＳ解析回路６のブロック構成を示す。ＴＳ解析回路６は、トランスポートパーサ６ａ（信号抽出手段）と、外部メモリインターフェース６ｂと、ビデオデコーダ６ｃ（デジタル復号手段）と、ディスプレイコントローラ６ｄと、ＯＳＤ回路６ｅ（ＯＳＤ出力手段）と、デジタルビデオエンコーダ６ｆと、オーディオインターフェース６ｇと、ホストプロセッサインターフェース６ｈとＰＬＬ（Phase Locked Loop）回路６ｉとを備えている。トランスポートパーサ６ａは、ＴＳ変換回路４から伝送されたＴＳ信号を取得し、これを映像信号、音声信号及び制御信号に分解する。外部メモリインターフェース６ｂは、ホストプロセッサインターフェース６ｈを介して制御部８からの指令を受け、トランスポートパーサ６ａ、ビデオデコーダ６ｃ及びディスプレイコントローラ６ｄとメモリ７との接続を司る。例えば、トランスポートパーサ６ａによって分解された映像信号、音声信号及び制御信号は、それぞれ、外部メモリインターフェース６ｂを介してメモリ７に格納される。
【００１７】
ビデオデコーダ６ｃは、制御部８からの指令を受け、メモリ７に格納させた映像信号を読み出して復号する。ディスプレイコントローラ６ｄは、制御部８からの指令を受け、ビデオデコーダ６ｃが復号した映像信号をＮＴＳＣのフォーマットに変換する。ＯＳＤ回路６ｅは、制御部８からの指令を受け、ビデオデコーダ６ｃが変換したＮＴＳＣの映像信号をデジタルビデオエンコーダ６ｆに送出する他、必要に応じて映像信号にＯＳＤ表示を付加した信号をデジタルビデオエンコーダ６ｆに送出する。このＯＳＤ回路６ｅは、制御部８からの指令に応じて、１フレームの映像信号ごとにＯＳＤ表示を付加する演算処理を行い、所定の色によるＯＳＤ表示を表示装置１２に表示させることができる。また、上記演算処理を行うためにＯＳＤ回路６ｅには、メモリが内蔵されている。
【００１８】
デジタルビデオエンコーダ６ｆは、制御部８からの指令を受け、ＯＳＤ回路６ｅから送出された映像信号をアナログ信号に変換して表示装置１２に出力する。オーディオインターフェース６ｇは、トランスポートパーサ６ａが分解した音声信号を音声出力回路９に送出する。また、ホストプロセッサインターフェース６ｈは、制御部８からの指令をトランスポートパーサ６ａと、外部メモリインターフェース６ｂと、ビデオデコーダ６ｃと、ディスプレイコントローラ６ｄと、ＯＳＤ回路６ｅと、デジタルビデオエンコーダ６ｆに伝送する。また、ＰＬＬ回路６ｉは、入力されるクロック信号に基づいて局部発振周波数を所定の周波数に一致させる。
【００１９】
メモリ７は、放送局から放送される可能性を有する放送言語のうち、主要な1つ又は複数の放送言語とそのＩＤコードが言語データテーブル７ａとして記憶する。図１では、英語、フランス語及びスペイン語と、それらのＩＤコードとがそれぞれ関連付けて記憶されている。また、メモリには、放送中の言語についてのＯＳＤ表示を映像に付加して表示させるための表示データがそれぞれの言語ごとに記憶されている。制御部８は、ユーザによる入力装置１１を用いた入力操作を受けて、各部の制御をデータバス（Data-Bus）を通して行う。例えば、制御部８は、メモリ７に格納された制御信号を読み出してＶＣＴ（Virtual Channel Table）を解析し、それに含まれるステータス信号に基づいて現在受信中のチャンネルのチャンネル情報を取得し、このチャンネル情報をＯＳＤ回路６ｅ、デジタルビデオエンコーダ６ｆを介して表示装置１２に出力させる。
【００２０】
音声出力回路９は、オーディオインターフェース６ｇから取得した音声信号をスピーカ装置１５に対応する音声信号に変換し、この音声信号をスピーカ装置１５に送出する。具体的には、制御部８から指示された放送言語に関する音声信号を抽出し、復号処理し、アナログ信号に変換している。入力装置１１は、ユーザによるチャンネル変更等の操作指令を制御部８に対して入力するための装置である。この入力装置１１の例としては、ＳＴＢ１の前面に設けた本体ボタンや、赤外線等を用いてＳＴＢ１の動作指令を行うリモコン等が挙げられる。表示装置１２は、テレビジョン受像機の表示画面を用いてもよいし、また、ＣＲＴの他、ＬＣＤ（Liquid Crystal Display）やＰＤＰ（Plasma Display Panel）等のフラットパネルディスプレイ装置であってもよい。その際、表示装置１２が、デジタル信号の入力に対応していれば、デジタルビデオエンコーダ６ｆを介さずに、ＯＳＤ回路６ｅから表示装置１２の入力端子に直接に接続する構成であってもよい。スピーカ装置１５は、音声出力回路９に接続され、音声出力回路９にて処理された音声信号に基いて音声を出力する。
【００２１】
制御部８は、上述したように、ＶＣＴを解析し、それに含まれるステータス信号に基いて現在受信中のチャンネルのチャンネル情報を取得する。このチャンネル情報の中には、そのチャンネルで現在放送されている放送言語のＩＤコードが含まれている。制御部８は、放送局又はユーザが設定した優先順位等に基いて選択した放送言語に関する信号を音声出力回路９に伝送する。この信号を受けた音声出力回路９は、トランスポートパーサ６ａが分解した音声信号の中から該当する放送言語の音声信号を抽出してスピーカ装置１５から出力させる。また、制御部８は、言語データテーブル７ａを検索して、言語データテーブル７ａにスピーカ装置１５から出力させている放送言語のＩＤコードが存在するか否かを判断する。上記ＩＤコードが存在すれば、該当する放送言語によって音声出力している旨のＯＳＤ表示を行う。制御部８は、該当する放送言語のＯＳＤ表示を行うための表示データを読み出して、ＯＳＤ回路６ｅに出力し、表示装置１２にＯＳＤ表示をさせる。例えば、図３（ａ）は、“英語”（ＥＮＧＬＩＳＨ）によって音声出力している旨のＯＳＤ表示画面を示している。一方、上記ＩＤコードが存在しなければ、その他の放送言語で音声出力している旨のＯＳＤ表示を行う。例えば、図３（ｂ）は、このような場合における“その他”（ＯＴＨＥＲ）をＯＳＤ表示している画面を示している。この“その他”をＯＳＤ表示するためのデータもメモリ７に記憶されている。制御部８は、このデータを読み出してＯＳＤ回路６ｅに出力し、表示装置１２にＯＳＤ表示をさせる。
【００２２】
図４は、チャンネル変更時に出力中の放送言語のＯＳＤ表示を行う際の、制御部８の動作手順を示している。ユーザよりチャンネル変更指令の入力があると、メモリ７に記憶させた制御信号を解析してＶＣＴを取得する（＃１）。そして、このＶＣＴを参照することにより、放送言語のＩＤコードを含むチャンネル情報を取得する（＃２）。さらに、映像及び音声を出力しながら（＃３）、言語データテーブル７ａを検索する（＃４）。その結果、＃２で取得し、音声出力している放送言語ＩＤコードが存在すれば（＃５においてＹＥＳ）、表示手段１２に該当する放送言語を出力させる（＃６）。ＩＤコードが存在しなければ（＃５においてＮＯ）、表示手段１２に“ＯＴＨＥＲ”をＯＳＤ表示させる（＃７）。こうして、現在放送中の言語について、ＯＳＤ表示がなされる。なお、上記の処理は、チャンネル変更時に限られず、ＳＴＢ１の起動時や、番組プログラムが切替わったときに出力中の放送言語をユーザに知らせるために行ってもよい。
【００２３】
このように、本ＳＴＢ１によれば、言語データテーブル７ａに記憶する放送言語を放送頻度の高い主要な言語に限定し、それ以外の言語をひとまとめにして、その他の言語として表示処理することとしている。従って、メモリ７内にデジタル放送の規格で規定されている１０２種類の全ての放送言語についてＩＤコードを記憶する必要がない。また、上記１０２種類の放送言語についてＯＳＤ表示を付加するための表示データを記憶する必要もない。例えば、図１に示したように言語データテーブル７ａに英語、フランス語及びスペイン語の３個の言語のＩＤコードを有する場合は、これら３個の言語についての表示データと、“ＯＴＨＥＲ”を表示するための表示データを記憶するだけでよい。このため、メモリ７の記憶領域は、１０２種類の放送言語を記憶する場合に比べて少なくすることができ、装置の製造コストの低減を図ることが可能になる。また、制御部８は、メモリ７に記憶させている上記３個の放送言語についてのみＩＤコードの検索処理を行えばよいので、検索に要する時間を短かくすることができ、放送言語についてのＯＳＤ表示を迅速に行え、他の処理に支障をきたす虞もない。
【００２４】
なお、本発明は上記実施形態の構成に限られることなく種々の変形が可能であり、例えば、制御部は、言語データテーブル７ａの全ての放送言語について検索するのではなく、ユーザに選択された放送言語について検索を行うようにしてもよい。このようにすれば、従って、ユーザの嗜好に応えつつ、検索に要する時間をさらに短縮することができる。なお、このときユーザは、入力装置１１を用いて放送言語を選択すればよい。また、取得したＩＤコードが言語データテーブル７ａ内に存在しない場合における“その他”のＯＳＤ表示は、省略してもよい。また、ＳＴＢ１は、ＡＴＳＣのデジタル放送信号に加えて、ＮＴＳＣのアナログ放送信号をも受信することができる構成としてもよい。この場合、チューナ２はアナログ放送の配信される帯域の放送信号をも受信できるものとされ、ＳＴＢ１はチューナ２が受信したアナログ放送信号を復号するアナログデコーダを別途備えたものとされる。
【００２５】
以上のように請求項１の発明によれば、デジタル放送受信装置において、記憶手段の記憶容量を少なくすることができ、装置の製造コストを低減することができる。また、ＩＤコードの検索時間を短縮することにより、チャンネル変更から放送言語がＯＳＤ表示されるまでの時間を短縮し、ユーザの使い勝手の向上を図ることができる。また、言語データテーブルに記憶させた放送言語以外の言語によって音声出力している場合は、その旨の表示を行うので、ユーザは音声出力状態を容易に理解することができる。また、デジタル放送受信装置において、ＩＤコードの検索時間を短縮することにより、チャンネル変更から放送言語がＯＳＤ表示されるまでの時間を短縮し、ユーザの使い勝手の向上を図ることができる。さらに、ユーザによって言語データテーブルをカスタマイズ可能となり、使い勝手はさらに向上する。
【図面の簡単な説明】
【図１】  本発明の一実施形態によるデジタル放送受信装置のブロック構成図。
【図２】  同装置のＴＳ解析回路のブロック構成図。
【図３】  同装置の音声出力中の放送言語をＯＳＤ表示した画面を示した図。
【図４】  同装置のチャンネル変更時に現在出力中の放送言語のＯＳＤ表示を行う際における制御部の動作手順を示したフローチャート。
【符号の説明】
１    ＳＴＢ（放送受信装置）
２    チューナ（受信手段）
６ａ  トランスポートパーサ（信号抽出手段）
６ｃ  ビデオデコーダ（デジタル復号手段）
６ｅ  ＯＳＤ回路（ＯＳＤ出力手段）
７    メモリ（記憶手段）
７ａ  言語データテーブル
８    制御部（制御手段）
９    音声出力回路（音声信号処理手段）
１１  入力装置（入力手段）
１２  表示装置（表示手段）
１５  スピーカ装置（音声出力手段）
【図１】
0004682446.tif 000002
【図２】
0004682446.tif 000003
【図３】
0004682446.tif 000004
【図４】
0004682446.tif 000005